【事件の表示】
　平成　６年特許願第２０４９５３号「木構造図作成装置及び木構造図作成方法」拒絶査定に対する審判事件［平成　８年　３月１２日出願公開、特開平　８−　６９４８９］について、次のとおり審決する。
【結　論】
　本件審判の請求は、成り立たない。
【理　由】
１．手続の経緯・本願発明
　本願は、平成６年８月３０日の出願であって、平成１５年８月２０日付で拒絶査定がなされ、これに対して、同年９月２５日に拒絶査定に対する審判請求がなされるとともに、平成１５年１０月２４日付で手続補正がなされたものである。
　
２．平成１５年１０月２４日付の手続補正についての補正却下の決定
［補正却下の決定の結論］
　　　平成１５年１０月２４日付の手続補正を却下する。
［理由］
（１）補正後の本願発明
　本件補正により、特許請求の範囲については、
「【請求項１】　作成された木構造図の一部を出力する出力手段と、
　上記出力手段が出力する木構造図の一部の所望のノードを指定する指定手段と、
　上記指定手段により指定されたノードを含む部分の木構造図を上記出力手段により出力させる処理手段と、
　上記出力手段の出力範囲外に、上記指定されたノードと同じ階層のノードが存在する場合、当該存在する全てのノードを、個別に識別可能な状態で、かつ、上記指定手段により指定可能な形態で、上記出力範囲内に常に表す図を、上記指定手段により指定されたノードを含む部分の木構造図と共に上記出力手段に出力させるノード情報出力手段とを備えたことを特徴とする木構造図作成装置。
【請求項２】　請求項１に記載の木構造図作成装置において、
　上記ノード情報出力手段は、更に、指定されたノードの１つ下の層、及び、指定されたノードと同じ層に位置するノードであって出力範囲内にあるノードの１つ下の層の内、少なくとも上記指定されたノードの１つ下の層を含む１以上の層より下位の木構造図の代わりに、上記１以上の層に位置する全てのノードを識別可能な状態で、かつ、上記指定手段により指定可能な形態で常に表す図を、上記指定手段により指定されたノードを含む部分の木構造図と共に上記出力手段に出力させる木構造図作成装置。
【請求項３】　作成された木構造図の一部を表示する第１表示手段と、
　少なくとも指定されているノードの階層、及び、上下の階層の各々に存在するノードの数を表す数値及び上記指定されているノードを特定する数値を表示すると共に、表示に基づく数値を指定することにより所望のノード指定を受付ける指定手段と、
　上記指定手段により指定されたノードを含む部分の木構造図を上記第１表示手段により表示させる処理手段とを備えることを特徴とする木構造図作成装置。」
と補正された。
　上記補正は、請求項１に記載した発明の構成に欠くことができない事項の一部である「当該存在する各々のノードを識別可能な状態」について「当該存在する
全ての
個別に
上記出力範囲内に
　そこで、本件補正後の前記請求項１に記載された発明（以下、「本願補正発明」という）が特許出願の際に独立して特許を受けることができるものである（特許法第１７条の２第４項において準用する同法第１２６条第３項の規定に適合するか）について以下に検討する。
　
（２）引用例
　原審の拒絶理由に引用された、特開平５−１８９１７７号公報（以下、「引用例１」という）には、図面とともに次の事項が記載されている。
　（ア）「【０００９】【発明が解決しようとする課題】従来においては、要素数，階層数が極めて多い広大な階層構造１００から目的の要素１０２を捜し出す場合、ウィンドウ非表示の構造部分に関する表示がウィンドウ枠と交わるリンク線１０８の表示に限られるので、そのリンク線１０８を追いながらウィンドウスクロールの操作を繰り返すことが必要となる。従って、目的の構造要素へ到達するまでの操作がめんどうであるという問題があった。
【００１０】本発明は上記従来の事情に鑑みてなされたものであり、その目的は、階層構造が広大な場合であっても任意の構造要素へ容易に到達することが可能となる装置を提供することにある。
【００１１】【課題を解決するための手段】上記目的を達成するために、本発明にかかる階層構造表示装置は図１のように構成されている。
【００１２】同図の階層構造展開手段１０は階層構造１００の要素１０２を全て取り込んで展開し、分岐線分生成手段１２は階層構造１００の分岐点より全ての分岐先へ至る線分１０４（１０８）を展開された要素１０２から生成する。
【００１３】また、表示領域移動手段１４は展開された要素１０２により示される階層構造１００上で定寸の領域１０６を入力操作に従って移動し、表示領域切出手段１６は領域１０６の内側に存在する全ての要素１０２を抽出する。
【００１４】そして階層構造部分表示手段１８は、抽出された要素１０２から引き出される全ての線分１０４と抽出された要素１０２とを合成表示する。」（引用例１の２頁２欄９〜３８行、段落【０００９】〜【００１４】）
　（イ）「【００１７】【実施例】図３には実施例の構成が示されており、キーボード２０，マウス２２の操作で階層構造データ格納部２４のデータがアクセス部２６からリードアクセスされ、メモリ部２８に展開される。
【００１８】このデータは表示制御部３０に読み出されてディスプレイ３２でウィンドウ表示され、ウィンドウ表示のデータはキーボード２０，マウス２２の操作で横方向，縦方向へスクロールされる。」（引用例１の３頁３欄３〜１１行、段落【００１７】、【００１８】）
　（ウ）「【００２２】第７図のようにウィンドウ１０６が開かれると、その内側で表示すべき構造要素１０２のデータがメモリ部２８から読み出され（ステップ４１４）、読み出されたデータの示す構造要素１０２は階層レベル，読み出しの順序番号で決定された桁，行の位置に表示される（ステップ４１６，４１８，４２０，４２２）。
【００２３】また図５において、表示中の構造要素１０２（その下部中心＿図７参照）からその下位階層となる全ての構造要素１０２（表示されていないものも含まれる）へ向かう線分１０４（左部中心が終点となる＿図７参照）が表示される（ステップ５００，５０２，５０４，５０６）。
【００２４】このようにしてウィンドウ表示が行なわれると、図７におけるスクロールバー２００の左下位置と左上位置とが算出され（ステップ６００，６０２）、各線分１０４とスクロールバー２００の左辺との交点がスクロールバー目盛の位置として求められる（ステップ６０４）。
【００２５】図８ではスクロールバー目盛の算出作用が説明されており、同図の直線ａはウィンドウ１０６の底辺で、その直線ａの上側に適当な間隔を介してこれに平行な非表示の直線ｂが定められる。
【００２６】そして、各線分１０４のうち最も下側となる直線ｄと直線ｂとの交点ｅが算出されてスクロールバー２００の左下基準点が求められ、スクロールバー２００の左辺となる非表示の直線ｃが定められる。
【００２７】また、各線分１０４のうち最も上側となる直線ｆとスクロールバー左辺の直線ｃとの交点ｇが算出され、その結果、スクロールバー２００の表示位置及び高さが決定される。
【００２８】さらに、直線ｄ，ｆの中間に引かれた各線分１０４とスクロールバー左辺の直線ｃとの交点が算出され、スクロールバー各目盛となる直線ｈ（直線ａ，ｂと平行）が求められる。
【００２９】以上のようにしてスクロールバー２００の表示位置，その高さ及び各スクロールバー目盛が定められると、これらがメモリ部２８へ書き込まれてから、スクロールバー２００，その目盛，スクロールカーソル２０２が第７図のようにディスプレイ部３２で表示される（ステップ６０６，６０８）。
【００３０】その後、表示終了の指示が入力されるとウィンドウ１０６が閉じられるが（ステップ６１０）、スクロールカーソル２０２の移動指示が入力されたときには、スクロールカーソル２０２の移動位置を基準としたウィンドウ表示が行なわれる（ステップ６１２，６１４）。
【００３１】例えば、図７においてスクロールカーソル２０２を最下位置のスクロールバー目盛線にマウス操作で移動してマウスクリックを行なうと、構造要素１０２（ＪＪＪＪＪ）がウィンドウ１０６内に表示され、スクロールバー２００の表示が更新される。
【００３２】以上説明したように本実施例によれば、非表示の構造要素１０２へ向かう線分１０４がウィンドウ１０６内に表示されるので、階層構造１００が広大な場合であっても、その全体を把握することが容易となり、したがって、目的の構造要素１０２をより迅速に捜し出すことが可能となる。
【００３３】しかも、スクロールバー２００中の目盛線にスクロールカーソル２０２を移動してクリックする簡単な操作で、任意の位置へただちに移動でき、このため、構造要素１０２の検索，追加，変更，削除などの作業を効率良く行なうことが可能となる。
【００３４】なお、表示されていない構造要素１０２へ向かう線分１０４の色や線種をその構造要素１０２の属性（ファイルかディレクトリか，読み出しや書き込みが可能であるか否かなど）に応じたものとすることが好適である。
【００３５】また、スクロールカーソル２０２の現在位置と対応した構造要素１０２の名称をガイド表示することも好ましい。
【００３６】
【発明の効果】以上説明したように本発明によれば、表示されていない構造要素へ向かう線分も表示されるので、階層構造が広大な場合であっても、その全体把握が容易となり、目的の位置へ迅速に移動することが可能となる。」（引用例１の３頁３欄２５〜同頁４欄５０行、段落【００２２】〜【００３６】）
と記載されているから、これらの記載より引用例１には次のことが記載されている。
「階層構造１００の要素１０２を全て取り込んで展開する階層構造展開手段１０と、階層構造１００の分岐点より全ての分岐先へ至る線分１０４を展開された要素１０２から生成する分岐線分生成手段１２と、展開された要素１０２により示される階層構造１００上で定寸の領域１０６を入力操作に従って移動する表示領域移動手段１４と、領域１０６の内側に存在する全ての要素１０２を抽出する表示領域切出手段１６と、抽出された要素１０２から引き出される全ての線分１０４と抽出された要素１０２とを合成表示する階層構造部分表示手段１８とを有する階層構造表示装置において、
　階層構造データを格納する階層構造データ格納部２４と、キーボード２０，マウス２２の操作で該階層構造データ格納部２４のデータがアクセス部２６からリードアクセスされ、展開されるメモリ部２８と、該データを読み出してディスプレイ部３２でウィンドウ表示する表示制御部３０と、ウィンドウ表示のデータを横方向，縦方向へスクロールするためのキーボード２０，マウス２２とを有し、
　ウィンドウ１０６が開かれると、その内側で表示すべき構造要素１０２のデータがメモリ部２８から読み出され、読み出されたデータの示す構造要素１０２は階層レベル、読み出しの順序番号で決定された桁，行の位置に表示され、
　表示中の構造要素１０２からその下位階層となる全ての構造要素１０２（表示されていないものも含まれる）へ向かう線分１０４が表示され、
　このようにしてウィンドウ表示が行なわれると、スクロールバー２００の左下位置と左上位置とが算出され、各線分１０４とスクロールバー２００の左辺との交点がスクロールバー各目盛となる直線ｈが求められ、
　スクロールカーソル２０２の移動指示が入力され、スクロールカーソル２０２をスクロールバー目盛線ｈにマウス操作で移動してマウスクリックを行なうと、そのスクロールメモリと交差している線分１０４に接続させている構造要素１０２がウィンドウ１０６内に表示することを特徴といる階層構造表示装置。」
　
（３）対比
　そこで、本願補正発明と引用例１の発明とを比較すると、
　引用例１の「階層構造」は、本願補正発明の「木構造図」に、
　引用例１の「ディスプレイ部」は、本願補正発明の「出力手段」に、
　引用例１の「構造要素」は、本願補正発明の「ノード」に、
　引用例１の「マウス」は、本願補正発明の「指定手段」に、
　引用例１の「表示制御部」は、本願補正発明の「処理手段」にそれぞれ相当し、
　また、引用例１では、非表示の構造要素１０２へ向かう線分１０４がウィンド１０６内に表示され、各線分１０４とスクロールバー左辺の直線ｃとの交点がスクロールバーの各目盛直線ｈとなり、スクロールバー２００中の目盛線ｈにスクロールカーソル２０２を移動してクリックすることにより任意の位置へただちに移動できるように装置を構成したものであるから、引用例１の階層構造表示装置は、下記の相違点を除いてノード情報出力手段に相当する機能を有し、
　さらに、木構造図を作成する装置は周知のものであり、引用例１の階層構造も木構造であるから、階層構造表示装置を木構造図作成装置とすることは格別のことでないので、
両者は、
「作成された木構造図の一部を出力する出力手段と、
　上記出力手段が出力する木構造図の一部の所望のノードを指定する指定手段と、
　上記指定手段により指定されたノードを含む部分の木構造図を上記出力手段により出力させる処理手段と、
　上記出力手段の出力範囲外に、上記指定されたノードと同じ階層のノードが存在する場合、上記指定手段により指定可能な形態で、上記出力範囲内に常に表す図を、上記指定手段により指定されたノードを含む部分の木構造図と共に上記出力手段に出力させるノード情報出力手段とを備えたことを特徴とする木構造図作成装置。」
の点で一致し、以下の点で相違する。
（相違点）
　図が、本願補正発明では、当該存在する全てのノードを、個別に識別可能な状態で、かつ、指定手段により指定可能な形態で、出力範囲内に常に表されるのに対して、引用例１では、スクロールバー２００と、表示中の構造要素１０２からその下位階層となる全ての構造要素１０２（表示されていないものも含まれる）へ向かう各線分１０４と、スクロールバー各目盛となる直線ｈとが表示されており、当該存在する全てのノードを、個別に識別可能な状態で表すとは明記されていない点。
　
（４）判断
　上記相違点について、
　引用例１には、スクロールバー各目盛となる各直線ｈが、各線分１０４とスクロールバー左辺の直線ｃとの交点から算出され求められたものであること、非表示の構造要素１０２へ向かう線分１０４がウィンド１０６内に表示され、階層構造１００が広大な場合であっても、その全体を把握することが容易となり、目的の構造要素１０２をより迅速に捜し出すことができること、スクロールバー２００中の目盛線にスクロールカーソル２０２を移動してクリックする簡単な操作で、任意の位置へただちに移動できること、また、スクロールカーソル２０２の現在位置に対応した構造要素１０２の名称をガイド表示することが好ましいことが記載されている。このように、引用例１には構造要素１０２を個別に識別することは明記されていないが、「目的の構造要素」、「構造要素１０２の名称をガイド表示する」等、構造要素１０２を個別に識別することを示唆することが記載されている。
　また、スクロールバー各目盛となる各直線ｈの線だけでも、その直線ｈの位置から、下位の階層の構成要素を上から順に、例えば、１，２，３・・・あるいは、Ａ，Ｂ，Ｃ，Ｄ・・・等と個別に識別することは可能である。
　したがって、引用例１においては、当該存在する全てのノードを、個別に識別可能な状態で、かつ、指定手段により指定可能な形態で、出力範囲内に常に表す図を設けることは当業者が容易に考えられることである。
　
（５）むすび
　以上のとおり、本件補正は、特許法第１７条の２第４項で準用する同法第１２６条第３項の規定に違反するものであり、特許法第１５９条第１項で準用する特許法第５３条第１項の規定により却下されるべきものである。
　
３．本願発明について
　平成１５年１０月２４日付の手続補正は上記のとおり却下されたので、本願の請求項１に係る発明（以下、同項記載の発明を「本願発明」という）は、平成１５年５月３０日付手続補正書の特許請求の範囲の請求書１に記載された事項により特定される、以下のとおりのものである。
「【請求項１】　作成された木構造図の一部を出力する出力手段と、
　上記出力手段が出力する木構造図の一部の所望のノードを指定する指定手段と、
　上記指定手段により指定されたノードを含む部分の木構造図を上記出力手段により出力させる処理手段と、
　上記出力手段の出力範囲外に、上記指定されたノードと同じ階層のノードが存在する場合、当該存在する各々のノードを識別可能な状態で、かつ、上記指定手段により指定可能な形態で常に表す図を、上記指定手段により指定されたノードを含む部分の木構造図と共に上記出力手段に出力させるノード情報出力手段とを備えたことを特徴とする木構造図作成装置。」
　
（１）引用例１
　原査定の拒絶の理由に引用された引用例、及び、その記載事項は、前記「２．（２）」に記載したとおりである。
　
（２）対比・判断
　本願発明は、前記２．で検討した本願補正発明から、限定事項（下線部分）である「当該存在する
全ての
個別に
上記出力範囲内に
　そうすると、本願発明の構成要件を全て含み、さらに他の構成要件を付加したものに相当する本願補正発明が、前記「２．（４）」に記載したとおり、引用例１に基づいて、当業者が容易に発明をすることができたものであるから、本願発明も、同様な理由により、引用例１に基づいて、当業者が容易に発明をすることができたものである。
　
（３）むすび
以上のとおり、本願発明は、引用例１に記載された発明に基づいて当業者が容易に発明をすることができたものであるから、特許法第２９条第２項の規定により特許を受けることができない。
　よって、結論のとおり審決する。